(57)【要約】【課題】生活者の目を引きつけることができ、かつ効果的に販促効果を得ることができる新規なチラシを提供すること。【解決手段】表表紙１１と裏表紙１２と中面１３，１４とがある冊子状の体裁を採ったチラシ１０であって、企業イメージを訴求する内容の情報と掲載商品に関連する商品情報とで紙面を構成する。企業イメージの向上と販促という同時訴求を可能とした内容であり、訴求したい商品やサービスへの関心を高めることができる。ストーリー性を持たせたコンテンツを商品情報に具備させるのが好ましい。また、ウェブサイトへ誘導するための二次元コードを印刷したり、クーポン券加工やハガキ加工を施したりするのが好ましい。【選択図】図１
0003110959.tif 000002
【実用新案登録請求の範囲】
【請求項１】
表表紙と裏表紙と中面とがある冊子状の体裁を採ったチラシであって、企業イメージを訴求する内容の情報と掲載商品に関連する商品情報とで紙面を構成したことを特徴とするチラシ。
【請求項２】
請求項１に記載のチラシにおいて、ストーリー性を持たせたコンテンツを商品情報に具備させたことを特徴とするチラシ。
【請求項３】
請求項１又は２に記載のチラシにおいて、ウェブサイトへ誘導するための二次元コードを印刷したことを特徴とするチラシ。
【請求項４】
請求項１又は２に記載のチラシにおいて、クーポン券加工やハガキ加工を施したことを特徴とするチラシ。
【考案の詳細な説明】
【技術分野】
【０００１】
本考案は、各種の商品やサービスを広告宣伝するために用いられるチラシに関するものである。
【背景技術】
【０００２】
通常、チラシは、新聞に折り込まれて配布されることが多く、生活者にとっては商品やサービスに関する身近な情報を得るための重要なツールになっている。このように新聞と共に配布されるチラシは、主に非常に多くの掲載商品の写真とその販売価格とを並べて表示したものが殆どである。また、その他に、工夫を凝らしたものとして、クーポン券を印刷したものや両面に広告宣伝情報を掲載したものなどが利用されている。
【特許文献１】実用新案登録第３０４４０５５号公報
【特許文献２】実用新案登録第３０８９１２１号公報
【考案の開示】
【考案が解決しようとする課題】
【０００３】
上記した従来のチラシは、クーポン券を印刷したり両面を使用するなどの工夫を凝らしたものも含めて、商品を訴求するだけのものであるため、日々大量に折り込まれる他の類似したチラシの中に埋没してしまい、生活者に対する訴求インパクトに欠けることが多々ある。このため、有効な販促効果が得られないという難点がある。
【０００４】
本考案は、上記のような事情に鑑みてなされたものであり、その目的とするところは、生活者の目を引きつけることができ、かつ効果的に販促効果を得ることができる新規なチラシを提供することにある。
【課題を解決するための手段】
【０００５】
請求項１に記載の考案であるチラシは、表表紙と裏表紙と中面とがある冊子状の体裁を採ったチラシであって、企業イメージを訴求する内容の情報と掲載商品に関連する商品情報とで紙面を構成したことを特徴としている。
【０００６】
請求項２に記載の考案であるチラシは、請求項１に記載のチラシにおいて、ストーリー性を持たせたコンテンツを商品情報に具備させたことを特徴としている。
【０００７】
請求項３に記載の考案であるチラシは、請求項１又は２に記載のチラシにおいて、ウェブサイトへ誘導するための二次元コードを印刷したことを特徴としている。
【０００８】
請求項４に記載の考案であるチラシは、請求項１又は２に記載のチラシにおいて、クーポン券加工やハガキ加工を施したことを特徴としている。
【考案の効果】
【０００９】
請求項１に記載の考案であるチラシは、表表紙と裏表紙と中面とがある冊子状の体裁を採ったチラシであって、企業イメージを訴求する内容の情報と掲載商品に関連する商品情報とで紙面を構成したことを特徴としているので、企業イメージの向上と販促という同時訴求を可能とした内容であり、訴求したい商品やサービスへの関心を高めることができることから、生活者の目を引き、かつ効果的に販促効果を得ることができる。また、冊子状としたことにより、雑誌のように保管しやすいため、整理して長期に渡って販促効果を持続させることができる。また、冊子状としたので、新聞に多種多様に織り込まれるチラシの中で目立たせることができる。
【００１０】
請求項２に記載の考案であるチラシは、請求項１に記載のチラシにおいて、ストーリー性を持たせたコンテンツを商品情報に具備させたことを特徴としているので、上記効果に加えて、商品情報の読みやすさが向上するとともに、保存しようとする意欲を高めることができる。
【００１１】
請求項３に記載の考案であるチラシは、請求項１又は２に記載のチラシにおいて、ウェブサイトへ誘導するための二次元コードを印刷したことを特徴としているので、上記効果に加えて、二次元コードに対応する商品やサービスに合わせた情報へのアクセスを容易に行えるという効果を奏する。
【００１２】
請求項４に記載の考案であるチラシは、請求項１又は２に記載のチラシにおいて、クーポン券加工やハガキ加工を施したことを特徴としているので、上記効果に加えて、レスポンスアップ機能が付加され、さらに広告宣伝効果を高めることができる。
【考案を実施するための最良の形態】
【００１３】
以下、図面を参照して本考案の実施の形態を説明する。
【００１４】
図１は本考案に係るチラシの一例を示しており、（ａ）は表側から見た状態での斜視図、（ｂ）は開いた状態での斜視図、（ｃ）は裏側から見た状態での斜視図である。
【００１５】
このチラシ１０は、Ｂ４サイズの４頁もので、表表紙１１と裏表紙１２と見開き２頁の中面１３，１４とがある冊子状の体裁を採っている。なお、サイズと頁数（４頁、８頁、１６頁、３２頁等）は用途に応じて適宜決めればよいものであり、また用紙の選択に際して、チラシ１０にひときわ高級感を出すためには、厚手の紙を使用するとよい。
【００１６】
チラシ１０における表表紙１１には、例えば広告主の企業イメージに合わせたネーミングのタイトル１１ａが上部に印刷され、その下には中面１３，１４の掲載内容に対応した表紙絵柄１１ｂが印刷されている。
【００１７】
見開きで左側の中面１３には、商品コンセプト１３ａ、利用シーン１３ｂ、ユーザーコメント１３ｃ、口コミ情報等の企業イメージを訴求する内容が印刷され、右側の中面１４には、商品スペック１４ａ、価格等の商品情報が印刷されるとともに、クーポン券１４ｂの一方の面が印刷されている。また、裏表紙１２には、特典情報１２ａを始めとするその他の商品情報が印刷されるとともに、クーポン券１２ｂの他方の面が印刷されている。なお、クーポン券の他に引換券やハガキなどを印刷するようにしてもよく、これらの印刷部分は周りにミシン目等の加工を施して切り離し可能としてもよい。
【００１８】
このように、チラシ１０は、企業イメージを訴求する内容の情報と掲載商品に関連する商品情報とで紙面が構成されているので、企業イメージの向上と販促という同時訴求が可能である。そして、冊子状であるために雑誌のように保管しやすい。
【００１９】
図２及び図３は本考案に係るチラシの別の例を示すもので、それぞれ（ａ）は表側から見た状態での斜視図、（ｂ）は開いた状態での斜視図である。
【００２０】
これらの図２及び図３に示すチラシ２０，３０は、ストーリー性を持たせたコンテンツを商品情報に具備させたもので、図２のチラシ２０はコミックタイプとしたものであり、図３のチラシ３０は雑誌風マガジンタイプとしたものである。
【００２１】
ストーリー性を持たせたコンテンツとしては、短編小説、コミック、エッセイ、旅行手記、料理レシピがあり、その他にも、掲載商品やサービスに関連した口コミ情報、雑誌記事風な解説文などがある。要するに、表紙から中面、そして裏表紙へと流れるようなストーリー性を付与したコンテンツを商品内容に持たせるのである。
【００２２】
このように、掲載内容に関連する情報を生活者の読みやすい形に加工し、連載などの読み物のようにストーリー性を持たせたコンテンツで紙面展開することで販促効果を高めることができる。
【００２３】
図４は本考案に係るチラシのさらに別の例を開いた状態で示す斜視図である。
【００２４】
このチラシ４０は、図３のチラシと類似したものであるが、中面４１，４２上のストーリーの中にウェブサイトにアクセス可能な二次元コード４３を設けることでそのストーリーシーンに合わせた情報へのアクセスができるようになっており、これによって販促効果が高められている。また、巻末にクーポン券４２ａの加工が施してあり、店誘導の機能も付加したものになっている。
【００２５】
以上、本考案の実施の形態について詳細に説明してきたが、本考案によるチラシは、上記実施の形態に何ら限定されるものではなく、本考案の趣旨を逸脱しない範囲において種々の変更が可能であることは当然のことである。
【図面の簡単な説明】
【００２６】
【図１】本考案に係るチラシの一例を示しており、（ａ）は表側から見た状態での斜視図、（ｂ）は開いた状態での斜視図、（ｃ）は裏側から見た状態での斜視図である。
【図２】本考案に係るチラシの別の例を示すもので、（ａ）は表側から見た状態での斜視図、（ｂ）は開いた状態での斜視図である。
【図３】本考案に係るチラシの別の例を示すもので、（ａ）は表側から見た状態での斜視図、（ｂ）は開いた状態での斜視図である。
【図４】本考案に係るチラシのさらに別の例を開いた状態で示す斜視図である。
【符号の説明】
【００２７】
１０  チラシ
１１  表表紙
１１ａ  タイトル
１１ｂ  表紙絵柄
１２  裏表紙
１２ａ  特典情報
１２ｂ  クーポン券
１３  中面
１３ａ  商品コンセプト
１３ｂ  利用シーン
１３ｃ  ユーザーコメント
１４  中面
１４ａ  商品スペック
１４ｂ  クーポン券
２０，３０  チラシ
４０  チラシ
４１，４２  中面
４２ａ  クーポン券
４３  二次元コード
【図１】
0003110959.tif 000003
【図２】
0003110959.tif 000004
【図３】
0003110959.tif 000005
【図４】
0003110959.tif 000006